(57)【要約】【課題】自装置の環境に応じて視野角を自動的に変更する。【解決手段】携帯電話機１は、画像を表示するメイン表示部１０であって、表示の視野角を変更する機能を有するメイン表示部１０と、メイン表示部１０を制御する制御部５２とを備える。制御部５２は、自機の速度情報を取得する速度判定部６６と、速度判定部６６が取得した速度情報に基づいて、視野角を制御する視野角制御部６７とを備える。【選択図】図１
2011170341.tif 000002
【特許請求の範囲】
【請求項１】
画像を表示する表示手段であって、表示の視野角を変更する機能を有する表示手段と、
該表示手段の表示を制御する表示制御手段とを備えており、
該表示制御手段は、
自装置の速度情報を取得する速度情報取得手段と、
該速度情報取得手段が取得した速度情報に基づいて、前記表示手段の視野角を制御する視野角制御手段とを備えることを特徴とする表示装置。
【請求項２】
前記表示制御手段は、自装置の位置情報を取得する位置情報取得手段をさらに備えており、
前記速度情報取得手段は、前記位置情報取得手段が取得した自装置の現在および過去の位置情報に基づいて自装置の速度情報を取得することを特徴とする請求項１に記載の表示装置。
【請求項３】
基地局との間で携帯電話用の無線信号を送受信する携帯電話用通信手段をさらに備えており、
該携帯電話用通信手段は、通信先の基地局を別の基地局に切り替えて通信を継続するハンドオーバを行う機能を有しており、
前記速度情報取得手段は、前記携帯電話用通信手段が前記ハンドオーバを行うことにより、自装置の速度情報を取得することを特徴とする請求項１または２に記載の表示装置。
【請求項４】
前記表示制御手段は、前記視野角の情報を表示するように前記表示手段を制御することを特徴とする請求項１〜３の何れか１項に記載の表示装置。
【請求項５】
ユーザの操作を受け付ける操作手段をさらに備えており、
前記表示制御手段は、前記操作手段が受け付けた所定の操作に基づいて前記表示手段の視野角を制御することを特徴とする請求項１〜４の何れか１項に記載の表示装置。
【請求項６】
携帯型情報機器であることを特徴とする請求項１〜５の何れか１項に記載の表示装置。
【請求項７】
画像を表示する表示手段であって、表示の視野角を変更する機能を有する表示手段を備える表示装置の制御方法であって、
自装置の速度情報を取得し、
取得した速度情報に基づいて、前記表示手段の視野角を制御することを特徴とする表示装置の制御方法。
【請求項８】
請求項１ないし６の何れか１項に記載の表示装置における表示制御手段を動作させるための表示制御プログラムであって、コンピュータを前記表示装置として機能させるための表示制御プログラム。
【請求項９】
請求項８に記載の表示制御プログラムが記録されたコンピュータ読取り可能な記録媒体。
【発明の詳細な説明】
【技術分野】
【０００１】
本発明は、視野角の変更可能な表示装置およびその制御方法、表示制御プログラム、並びに該プログラムを記録した記録媒体に関するものである。
【背景技術】
【０００２】
従来から、携帯電話機、ＰＤＡ（Personal Digital Assistant）などの携帯型情報機器のディスプレイとして液晶ディスプレイ（ＬＣＤ）が広く利用されている。ＬＣＤは、ＣＲＴ（Cathode Ray Tube）、プラズマディスプレイなどに比べて、視野角が狭いことが欠点とされてきたが、近時のＬＣＤ技術の進歩により、視野角の広角化が進められている。
【０００３】
しかしながら、上記携帯型情報機器は、電車やバスの車内などにおいて混雑した状況で利用すると、上記携帯型情報機器の表示画面に表示された内容が周囲の人に覗き見される虞がある。特に、電子メールの作成および閲覧を行う場合には、その内容が周囲の人に覗き見されることはプライバシー上好ましくない。
【０００４】
この問題に対応して、視野角を制御できるＬＣＤが提案されている（例えば、特許文献１〜４参照）。このようなＬＣＤでは、通常の広視野角モードと、視野角の狭い狭視野角モードとの何れか一方から他方に切り替え可能となっている。なお、狭視野角モードとは、ユーザのいる表示画面真正面からは通常どおりの表示画像が視認でき、斜め方向からは無地画像または別の画像が見えるモードである。
【０００５】
例えば、特許文献１に記載の視野角可変素子は、一対の基板の間の液晶層が、基板に対して垂直方向に液晶分子が配向することで狭視野角となり、平行方向に配向することで広視野角となっている。また、特許文献２に記載の携帯端末装置は、２枚のガラス板の間の液晶の配向を変更することにより、情報表示手段の視野角を変更している。
【０００６】
さらに、表示装置をいくつかの区画に分け、それぞれの区画で液晶配向方向等を異ならせることで、狭視野角モードにおいて、正面以外の方向から表示画面を見た場合に、表示画面に表示されたものとは異なる別の画像が視認できるようにする構成のものもある。例えば、特許文献３には、液晶層を挟む配向膜が複数の領域に区画され、隣接する前記領域の配向方向が異なる液晶表示装置が記載されている。また、特許文献４には、視角方向が異なる第１の液晶セルと第２の液晶セルとを交互に配する液晶表示装置が記載されている。
【０００７】
さらに、特許文献２に記載の携帯端末装置は、実行中のアプリケーションの種類に応じて視野角を制御している。これにより、使用状況に応じて自動的に視野角を変更することができ、ユーザが視野角をいちいち決定する煩わしさを回避できる。
【先行技術文献】
【特許文献】
【０００８】
【特許文献１】特開平９−１０５９５８（公開日：１９９７年４月２２日）
【特許文献２】特開２００４−６２０９４（公開日：２００４年２月２６日）
【特許文献３】特開２００１−２６４７６８（公開日：２００１年９月２６日）
【特許文献４】特開２００４−３８０３５（公開日：２００４年２月５日）
【発明の概要】
【発明が解決しようとする課題】
【０００９】
しかしながら、視野角の自動的な変更は、特許文献２に記載のように使用状況に応じて行われるだけでなく、上述のように、電車やバスの車内、駅の構内、映画館内など、携帯型情報機器の環境に応じて行われることが望ましい。
【００１０】
本発明は、上記の問題点に鑑みてなされたものであり、その目的は、自装置の環境に応じて視野角を自動的に変更できる表示装置などを提供することにある。
【課題を解決するための手段】
【００１１】
本発明に係る表示装置は、上記課題を解決するため、画像を表示する表示手段であって、表示の視野角を変更する機能を有する表示手段と、該表示手段の表示を制御する表示制御手段とを備えており、該表示制御手段は、自装置の速度情報を取得する速度情報取得手段と、該速度情報取得手段が取得した速度情報に基づいて、前記表示手段の視野角を制御する視野角制御手段とを備えることを特徴としている。
【００１２】
ここで、視野角は、実際の角度でもよいし、視野角が広い、狭いといった視野角の程度でもよい。
【００１３】
上記の構成によると、表示手段の視野角は、自装置の速度情報に基づいて制御される。これにより、例えば、人の移動速度よりも早い速度で表示装置が移動している場合、表示装置が、バス、電車などの乗り物内に存在すると判断して自動的に狭視野角にすることができる。したがって、速度に応じて自装置の環境を特定して、視野角を自動的に変更できるので、ユーザの利便性がさらに向上する。
【００１４】
なお、本願では、特に明示しない限り、画像は、絵や図形だけでなく、文字や記号など、任意の表示情報を含むものとしている。
【００１５】
なお、上記速度情報取得手段は、上述の位置情報取得手段が取得する位置情報を利用して自装置の速度を把握してもよい。具体的には、前記表示制御手段は、自装置の位置情報を取得する位置情報取得手段をさらに備えており、前記速度情報取得手段は、前記位置情報取得手段が取得した自装置の現在および過去の位置情報に基づいて自装置の速度情報を取得してもよい。
【００１６】
なお、位置情報は、緯度経度情報でもよいし、特定の場所を示す情報でもよい。また、位置情報取得手段が位置情報を取得する一手法としては、ＧＰＳ（Global Positioning Systems）を利用することが考えられる。具体的には、本発明に係る表示装置が、ＧＰＳ用の無線信号を受信するＧＰＳ用受信手段をさらに備えており、前記位置情報取得手段は、前記ＧＰＳ用受信手段が受信した無線信号に基づいて自装置の位置情報を取得することが考えられる。
【００１７】
また、位置情報取得手段が位置情報を取得する他の手法としては、例えば携帯電話用の基地局や無線ＬＡＮのアクセスポイントなどのような、無線通信用の基地局を利用することが考えられる。具体的には、本発明に係る表示装置が、無線通信用の基地局との間で無線信号を送受信する無線通信手段をさらに備えており、前記位置情報取得手段は、前記無線通信手段が受信した無線信号に基づいて自装置の位置情報を取得することが考えられる。
【００１８】
ここで、自装置の位置情報を取得するための無線信号の一例としては、外部のサーバが、携帯電話機と通信可能な複数の基地局を検出し、検出した複数の基地局の位置情報に基づいて携帯電話機の位置情報を算出する場合において、外部のサーバが算出した位置情報を示す無線信号が挙げられる。
【００１９】
また、上記無線信号の他の例としては、前記基地局の位置情報を示す無線信号が挙げられる。例えば、地下鉄の駅構内に設けられた基地局の位置情報を示す無線信号を表示装置が受信することにより、表示装置が地下鉄の駅構内に存在すると判断して視野角を自動的に狭視野角にすることができる。
【００２０】
また、上記速度情報取得手段は、通信先の基地局を別の基地局に切り替えて通信を継続するハンドオーバの頻度から、自装置の大まかな速度を把握してよい。具体的には、本発明に係る表示装置は、基地局との間で携帯電話用の無線信号を送受信する携帯電話用通信手段をさらに備えており、該携帯電話用通信手段は、通信先の基地局を別の基地局に切り替えて通信を継続するハンドオーバを行う機能を有しており、前記速度情報取得手段は、前記携帯電話用通信手段が前記ハンドオーバを行うことにより、自装置の速度情報を取得してもよい。
【００２１】
なお、前記表示制御手段は、前記視野角の情報を表示するように前記表示手段を制御することが望ましい。この場合、ユーザは、視野角が自動的に変化しても、表示手段の表示画面を見るのみで視野角を容易に判断することができる。なお、視野角を表示するときの表示形態としては、文字列での表示、アイコンでの表示、表示画面の上端部、下端部、または隅部での表示、表示画面の中央部で他の画像と重畳して表示、動画表示など、任意の表示形態を選択できる。
【００２２】
また、本発明に係る表示装置では、ユーザの操作を受け付ける操作手段をさらに備えており、前記表示制御手段は、前記操作手段が受け付けた所定の操作に基づいて前記表示手段の表示を制御することが好ましい。この場合、ユーザの操作により表示手段の表示を制御できるので、ユーザが所望する表示制御を行うことができ、ユーザの利便性が向上する。
【００２３】
なお、上記表示装置は、特に、携帯型情報機器である場合には効果的である。
【００２４】
本発明に係る表示装置の制御方法は、上記課題を解決するため、画像を表示する表示手段であって、表示の視野角を変更する機能を有する表示手段を備える表示装置の制御方法であって、自装置の速度情報を取得し、取得した速度情報に基づいて、前記表示手段の視野角を制御することを特徴としている。
【００２５】
上記の方法によると、表示手段の視野角は、自装置の速度情報に基づいて制御される。これにより、速度に応じて自装置の環境を特定して、視野角を自動的に変更できるので、ユーザの利便性が向上する。
【００２６】
なお、上記表示装置の表示制御手段を、表示制御プログラムによりコンピュータ上で実行させることができる。さらに、上記表示制御プログラムをコンピュータ読取り可能な記録媒体に記憶させることにより、任意のコンピュータ上で上記表示制御プログラムを実行させることができる。
【発明の効果】
【００２７】
以上のように、本発明に係る表示装置は、自装置の速度情報に基づいて視野角を自動的に変更できるので、速度に応じて自装置の環境を特定して、視野角を自動的に変更でき、ユーザの利便性が向上するという効果を奏する。
【図面の簡単な説明】
【００２８】
【図１】本発明の一実施形態である携帯電話機の要部の概略構成を示すブロック図である。
【図２】上記携帯電話機を開いた状態での外観を示す図であり、同図（ａ）は正面図であり、同図（ｂ）は背面図である。
【図３】上記携帯電話機が広視野角モードに設定されているときに、正面あるいは斜め方向から視認される表示画面を示す図である。
【図４】上記携帯電話機が狭視野角モードに設定されているときに、正面あるいは斜め方向から視認される表示画面を示す図である。
【図５】同図（ａ）は、上記携帯電話機を所持するユーザが自宅に位置する場合を示す図であり、同図（ｂ）は、上記携帯電話機を所持するユーザが地下鉄の駅構内に位置する場合を示す図である。
【図６】上記携帯電話機におけるメイン表示部の構造を示す断面図である。
【図７】同図（ａ）は上記メイン表示部の表示面を示す平面図であり、同図（ｂ）（ｃ）は広視野角モードに設定された上記メイン表示部の構造を示す図であり、同図（ｂ）は同図（ａ）のＡ−Ａ’断面図であり、同図（ｃ）は同図（ａ）のＢ−Ｂ’断面図である。
【図８】狭視野角モードに設定された上記メイン表示部の構造を示す図であり、同図（ａ）は図７（ａ）のＡ−Ａ’断面図であり、同図（ｂ）は図７（ａ）のＢ−Ｂ’断面図である。
【図９】同図（ａ）（ｂ）は、上記メイン表示部における透明電極膜の電極形状とパターン画像との例を示す図である。
【図１０】上記携帯電話機の概略構成を示すブロック図である。
【図１１】上記携帯電話機の記憶部に記憶される位置・視野角対応テーブルの一例を表形式で示す図である。
【図１２】上記携帯電話機の制御部にて実行される視野角の自動変更処理の流れを示すフローチャートである。
【発明を実施するための形態】
【００２９】
以下、本発明の一実施形態について図１〜図１２を参照しつつ説明する。
【００３０】
図２は、本発明の一実施形態である携帯電話機（表示装置）１の外観を示している。本実施形態の携帯電話機１は、いわゆるクラムシェル型であり、同図に開いた状態で示されている。同図（ａ）は、携帯電話機１を閉じたときに内側となる部分を示しており、この部分は、携帯電話機１を開いたときにユーザが主に利用する側である。そこで、本願では同図（ａ）に示される側を前面側とする。また、同図（ｂ）は、携帯電話機１を閉じたときに外側となる部分を示しており、この部分は、携帯電話機１を開いたときに同図（ａ）の側と反対側となる。そこで、本願では同図（ｂ）に示される側を背面側とする。
【００３１】
図２に示されるように、携帯電話機１は、本体２と、蓋体３とからなり、本体２と蓋体３とはヒンジ状に連結している。蓋体３には、ユーザが主として利用するメイン画面（表示手段）４が前面側に設けられ、ユーザが補助的に利用するサブ画面５が背面側に設けられている。なお、同図には示していないが、蓋体３内には携帯電話用のアンテナとＧＰＳ用のアンテナとが設けられている。
【００３２】
本体２には、前面側にメイン操作ボタン群（操作手段）６が設けられている。メイン操作ボタン群６は、携帯電話機１における各種設定や機能切替を行うための機能ボタン群７と、数字や文字などの記号を入力するための入力ボタン群（入力手段）８とから構成されている。具体的には、機能ボタン群７は、携帯電話の電源のＯＮ／ＯＦＦを切替る電源ボタン、撮影モードを起動させるカメラボタン、メールモードを起動させるメールボタン、選択対象を上下左右方向に移動させるための十字ボタン、該十字ボタンの中央に配置されており種々の選択を決定する決定ボタンなどを含んでいる。また、入力ボタン群８は、テンキーである。なお、本体２の背面側には、カメラ９が設けられている。
【００３３】
本実施形態の携帯電話機１は、メイン画面４の視野角を制御して、広視野角モードおよび狭視野角モードの何れか一方から他方に切り替える機能を有する。この視野角モードの切替えは、ユーザが所定の操作ボタンを操作することにより実行できる。なお、視野角を変更する構造の詳細については後述する。
【００３４】
本実施形態の携帯電話機１は、位置情報と視野角との対応関係を予め記憶しておき、自機の位置情報を取得し、取得した位置情報に対応する視野角を、前記対応関係から検索し、検索した視野角に基づいて、メイン画面４の視野角を制御している。これにより、或る位置に対応する適切な視野角を予め設定して記憶しておくことにより、例えば、駅の構内や映画館内に進入すると自動的に狭視野角となるなど、位置の変更に応じて視野角を自動的に変更することができる。その結果、自機の環境に応じて視野角を自動的に変更でき、ユーザの利便性が向上する。
【００３５】
なお、位置情報は、ＧＰＳを利用して取得してもよい。また、位置情報は、携帯電話機１と通信可能な複数の基地局を検出し、検出した複数の基地局の位置情報に基づいて携帯電話機の位置情報を算出する外部サーバから取得してもよい。また、通信先の基地局の位置情報を取得して、自機の位置を判断してもよい。
【００３６】
また、本実施形態の携帯電話機１は、自機の速度情報を取得し、取得した速度情報に基づいて、メイン画面４の視野角を制御している。これにより、例えば、人の移動速度よりも早い速度で携帯電話機１が移動している場合、携帯電話機１が、バス、電車などの乗り物内に存在すると判断して自動的に狭視野角にすることができる。したがって、速度に応じて自機の環境を特定して、視野角を自動的に変更できるので、ユーザの利便性がさらに向上する。
【００３７】
なお、速度情報は、現在および過去の位置情報を取得して求めてもよい。また、通信先の基地局を別の基地局に切り替えて通信を継続するハンドオーバの頻度から、自機の大まかな速度を把握してよい。
【００３８】
さらに、本実施形態の携帯電話機１は、図２に示されるように、視野角の状態を示す視野角情報６０をメイン画面４に表示している。これにより、ユーザは、各種デバイスの使用状況に対応して視野角の状態が自動的に変化しても、メイン画面４を正面から見るのみで視野角の状態を容易に判断することができる。なお、図示の例では、視野角情報６０は、メイン画面４の上端中央部に表示しているが、その他、表示画面４の任意の位置に表示することができる。また、図示の例では、視野角情報６０は文字列で表現しているが、アイコンなどの図形で表現することもできる。
【００３９】
図３は、メイン画面４が自動的に広視野角モードとなった場合において、メイン画面４の正面方向にいる人３１が見る画像と、メイン画面４の斜め方向にいる人３２・３３が見る画像とを示している。本実施形態にて自動的に広視野角モードとなることが好ましい例としては、図５（ａ）に示されるように、携帯電話機１を所持するユーザが自宅に位置する場合が挙げられる。この場合、ユーザ（Ａ）の周囲に第三者が存在する可能性が低いので、広視野角モードとしても覗き見される可能性が低い。また、広視野角モードとすることにより、ユーザが携帯電話機１のメイン画面４を種々の方向から見ることができる。
【００４０】
図３に示されるように、広視野角モードでは、メイン画面４を真正面から見た場合も（正面方位）、正面よりメイン画面４に向かって右側となる斜め前から見た場合も（右側面方位）、正面よりメイン画面４に向かって左側となる斜め前から見た場合も（左側面方位）、メイン画面４の画像が視認される。このとき、メイン画面４には、広視野角であることを示す視野角情報６０ｗが表示される。
【００４１】
一方、図４は、メイン画面４が自動的に狭視野角モードとなった場合において、メイン画面４の正面方向にいる人３１が見る画像と、メイン画面４の斜め方向にいる人３２・３３が見る画像とを示している。本実施形態にて自動的に狭視野角モードとなることが好ましい例としては、図５（ｂ）に示されるように、携帯電話機１を所持するユーザが地下鉄の駅構内に位置する場合が挙げられる。この場合、ユーザ（Ａ）の周囲に第三者（Ｂ〜Ｆ）が存在する可能性が高いので、狭視野角モードとすることにより覗き見を防止できる。
【００４２】
図４に示されるように、狭視野角モードでは、正面方位ではメイン画面４の画像が視認されるが、右側面方位あるいは左側面方位からは、黒い表示または別の画像が視認されるのみであり、メイン画面４の画像が視認されない。このとき、メイン画面４には、狭視野角であることを示す視野角情報６０ｎが表示される。
【００４３】
次に、メイン画面４に画像を表示するメイン表示部（表示手段）１０の詳細な構成について、図６〜図９を参照しつつ説明する。
【００４４】
図６は、メイン表示部１０の構造を示している。メイン表示部１０は、画像を表示出力する側から順に、第２偏光板１１、スイッチングＬＣＤ１２、第１偏光板１３、メインＬＣＤ１４、および第３偏光板１５を積層させてなり、第３偏光板１５の側にバックライト１６が設置されている。第２偏光板１１およびスイッチングＬＣＤ１２が、視野角制御装置として機能する。
【００４５】
第２偏光板１１はスイッチングＬＣＤ１２に貼付され、第１偏光板１３および第３偏光板１５はメインＬＣＤ１４の両面に貼付されている。そして、スイッチングＬＣＤ１２における第２偏光板１１の貼付側の反対側と、メインＬＣＤ１４における第１偏光板１３の貼付側とが、接着部１７を介して接着されている。なお、接着部１７は、熱硬化型や紫外線硬化型の樹脂系接着剤により構成しても良いし、いわゆる両面テープにより構成しても良い。また、接着部１７の接着領域は、全面接着でも良いし、例えば枠状など部分接着でも良い。
【００４６】
メインＬＣＤ１４は、透明電極基板４１・４２の間に液晶層４３が封入されており、後述の制御部５２（図１を参照）に従って透明電極基板４１・４２に電圧を印加することで、液晶層４３の液晶分子の配向を変化させて、画像を表示する。メインＬＣＤ１４は、制御部５２によって、携帯電話機１の操作画面や写真、メール本文などの画像を表示するように制御される。
【００４７】
メインＬＣＤ１４としては、公知の液晶表示装置を用いることができる。例えば、アクティブマトリックス駆動方式で駆動されるＴＮ（Twisted Nematic）モードの液晶表示装置やＶＡ（Vertical Alignment）モードの表示方式の液晶表示装置等を用いることができる。また、メインＬＣＤ１４の代わりに、例えば有機ＥＬ（Electroluminescence）ディスプレイやプラズマディスプレイのように、自発光型のディスプレイを用いてもよい。この場合、バックライト１６は不要となる。
【００４８】
スイッチングＬＣＤ１２は、第２偏光板１１の側から順に、基板２１、透明電極膜２６、配向膜２４、液晶層２３、配向膜２５、透明電極膜２７、および基板２２が積層されてなる。液晶層２３の液晶分子は、配向膜２５、２７に応じて初期の配向方向が決まり、さらに、制御部５２から透明電極２６、２７への電圧印加により、配向方向が変化する。この配向方向の変化により、狭視野角モードと広視野角モードとが切り替わる。なお、配向膜２４・２５は何れか一方だけ設けてもよい。
【００４９】
バックライト１６は、表示のための光を出射するものである。バックライト１６としては、例えば蛍光灯やＬＥＤ（発光ダイオード）などが利用できる。第３偏光板１５は、バックライト１６の光から所定方向の直線偏光を選択して、メインＬＣＤ１４に照射するものである。第１偏光板１３は、メインＬＣＤ１４を透過した光から所定方向の直線偏光を選択して、スイッチングＬＣＤ１２に照射するものである。第２偏光板１１は、メインＬＣＤ１４およびスイッチングＬＣＤ１２を透過した光から所定方向の直線偏光を選択して、外部に照射するものである。
【００５０】
なお、本実施形態では、第１偏光板１３の透過軸は、第２偏光板１１の透過軸に対して平行に設定しているが、メインＬＣＤ１４の特性により非平行に設定する必要がある場合がある。この場合、第１偏光板１３から出射した直線偏光の偏光方向を、第２偏光板１１の透過軸と一致するように、λ／２板などで適宜回転させればよい。
【００５１】
次に、スイッチングＬＣＤ１２における液晶分子の配向例について図７および図８を参照しつつ説明する。
【００５２】
図７（ａ）は携帯電話機１のメイン表示部１０の表示面を、メインＬＣＤ１４の表示画像の上下方向が紙面の上下となるように示したものである。なお、以下では、表示面上の左右方向をｘ方向、上下方向をｙ方向、メイン表示部１０の厚さ方向をｚ方向とする。また、図７および図８では、透明電極膜２６・２７および配向膜２４・２５を省略して図示している。
【００５３】
図示の例では、第２偏光板１１および第１偏光板１３の透過軸をｙ方向としている。また、配向膜２４・２５のラビング方向を、上記透過軸と平行にし、かつ、互いに反対向きにして、配向方向をアンチパラレル構造としている。そして、配向膜２４・２５として水平配向材のポリイミド材料を使用し、基板２１・２２と略平行となるように液晶分子を配向させる。これにより、液晶分子３５は、長軸方向が上記透過軸と略平行になるように一軸配向される。
【００５４】
この場合のスイッチングＬＣＤ１２の断面構造を図７（ｂ）に示す。図示のように、スイッチングＬＣＤ１２の液晶分子３５は、電圧無印加の状態で、第２偏光板１１および第１偏光板１３の透過軸と略平行に一軸配向している。バックライト１６からメインＬＣＤ１４を経てスイッチングＬＣＤ１２に入射する入射光は、第１偏光板１３を透過するので、上記入射光の偏光方向と液晶分子３５の配向方向ａとは略一致している。
【００５５】
この状態のスイッチングＬＣＤ１２を、図３に示される正面方位、左側面方位、および右側面方位から見た場合の液晶分子３５の見え方を図７（ｃ）に示す。図示において、正面方位の人３１から見た場合、液晶分子３５ａの長軸方向が、上記入射光の偏光方向（第１偏光板１３の透過軸）および第２偏光板１１の透過軸と略一致している。この場合、上記入射光は複屈折の影響を受けることなく透過するので、正面方向の人３１は、メインＬＣＤ１４の画像をそのまま見ることができる（図３を参照）。
【００５６】
一方、左側面方位および右側面方位の人３２・３３から見た場合、液晶分子３５ｂ・３５ｃの長軸方向が、上記入射光の偏光方向（第１偏光板１３の透過軸）および第２偏光板１１の透過軸と略一致している。この場合、上記入射光は複屈折の影響を受けることなく透過するので、左側面方位および右側面方位の人３２・３３は、正面方向の人３１と同様に、メインＬＣＤ１４の画像をそのまま見ることができる（図３を参照）。
【００５７】
したがって、電圧無印加の状態でのメイン表示部１０は、図３に示されるように、メインＬＣＤ１４の画像を正面方向および斜め方向から見ることができる広視野角モードとなる。
【００５８】
次に、透明電極膜２６・２７間に電圧（例えば、１００Ｈｚ、３Ｖの交流電圧）を印加した電圧印加状態でのスイッチングＬＣＤ１２の断面構造を図８（ａ）に示す。図示のように、スイッチングＬＣＤ１２の液晶分子３５は、ｘ方向を軸として約４５度回転する。
【００５９】
この状態のスイッチングＬＣＤ１２を、図４に示される正面方位、左側面方位、および右側面方位から見た場合の液晶分子３５の見え方を図８（ｂ）に示す。図示において、正面方位の人３１から見た場合、液晶分子３５ｄの長軸方向が、上記入射光の偏光方向（第１偏光板１３の透過軸）および第２偏光板１１の透過軸と略一致している。この場合、上記入射光は複屈折の影響を受けることなく透過するので、正面方向の人３１は、メインＬＣＤ１４の画像をそのまま見ることができる（図４を参照）。
【００６０】
一方、左側面方位の人３２から見た場合、液晶分子３５ｅの長軸方向が、上記入射光の偏光方向（第１偏光板１３の透過軸）および第２偏光板１１の透過軸から、図面に向かって右回りに傾くことになる。この場合、上記入射光は、スイッチングＬＣＤ１２にて複屈折の影響を受けて偏光方向が変化するため、第２偏光板１１にて透過しなくなる。このため、左側面方位の人３２は、メインＬＣＤ１４の画像を見ることができなくなる（図４を参照）。
【００６１】
同様に、右側面方位の人３３から見た場合、液晶分子３５ｆの長軸方向が、上記入射光の偏光方向（第１偏光板１３の透過軸）および第２偏光板１１の透過軸から、図面に向かって左回りに傾くことになる。この場合、上記入射光は、スイッチングＬＣＤ１２にて複屈折の影響を受けて偏光方向が変化するため、第２偏光板１１にて透過しなくなる。このため、右側面方位の人３３は、メインＬＣＤ１４の画像を見ることができなくなる（図４を参照）。
【００６２】
したがって、電圧印加の状態でのメイン表示部１０は、図４に示されるように、メインＬＣＤ１４の画像を正面方向から見ることができるが、斜め方向から見ることができない狭視野角モードとなる。
【００６３】
なお、狭視野角モードにおける液晶分子３５の配向方向は、ｘ方向を軸として約４５度回転したものに限られるものではなく、上記透過軸に対して傾斜していれば、任意の回転角でよい。すなわち、ｘ方向を軸とする回転角が、０度より大きく９０度よりも小さければ（すなわち、上記透過軸に対して水平または垂直でなければ）よい。この回転角としては、好ましくは１０度以上８０度以下であり、より好ましくは４０度以上５０度以下である。これは、回転角が４５度に近づくほど複屈折が大きくなり、良好に画像を隠すことができるためである。また、回転角が小さいと、駆動電圧が小さくなるので消費電力を低くすることができる。
【００６４】
また、透明電極膜２６・２７の何れか一方または両方をパターン形成することにより、電圧が印加される領域と印加されない領域とが発生することになる。上述のように、メイン表示部１０を斜め方向から見る人３２・３３にとって、電圧が印加される領域は、メインＬＣＤ１４からの光が透過しない黒色領域となるが、電圧が印加されない領域は、メインＬＣＤ１４からの光が透過する透過領域となる。
【００６５】
したがって、透明電極膜２６・２７の何れか一方または両方をパターン形成することにより、メイン表示部１０を斜め方向から見る人３２・３３は、狭視野角モードにおいて、黒色領域と透過領域とからなるパターン画像を見ることができる。
【００６６】
図９（ａ）（ｂ）は、透明電極膜２６・２７の電極形状とパターン画像３７との例を示している。同図（ａ）（ｂ）では、透明電極膜２６・２７に関して、電極が形成されている領域は黒色で示され、電極が形成されていない領域は白色で示されている。また、パターン画像３７に関して透過領域は白色で示されている。
【００６７】  図９（ａ）に示される例では、一方の透明電極膜２６は、全領域に電極を形成したベタ電極であり、他方の透明電極膜２７は、「（公序良俗違反につき、不掲載）」のロゴタイプ以外の領域に電極を形成したものである。この場合、パターン画像３７は、透過領域が上記ロゴタイプとなり、黒色領域が上記ロゴタイプ以外の領域となる。
【００６８】  一方、同図（ｂ）に示される例では、両方の透明電極膜２６・２７は、「（公序良俗違反につき、不掲載）」のロゴタイプ以外の領域に電極を形成したものである。この場合、パターン画像３７は、同図（ａ）と同様に、透過領域が上記ロゴタイプとなり、黒色領域が上記ロゴタイプ以外の領域となる。すなわち、透明電極膜２６・２７の何れか一方をパターン形成しても、両方を同様にパターン形成しても、同じパターン画像３７が得られることになる。
【００６９】
なお、透明電極膜２６・２７は、メインＬＣＤ１４の画像を隠すことを目的とする場合、メイン表示部１０の６０％以上好ましくは８０％以上に形成されることが好ましい。しかしながら、単に、メインＬＣＤ１４の画像にスイッチングＬＣＤ１２のパターン画像３７を重畳させることを目的とする場合、透明電極膜２６・２７は、メイン表示部１０の任意の割合で形成されても良い。
【００７０】
次に、携帯電話機１の詳細な構成について図１および図１０〜図１２を参照しつつ説明する。図１０は、携帯電話機１の概略構成を示している。携帯電話機１は、電話用アンテナ部（無線通信手段、携帯電話用通信手段）４０、電話用無線処理部（無線通信手段、携帯電話用通信手段）４１、音声処理部４２、音声入力部４３、音声出力部４４、データ処理部４５、操作部（操作手段）４６、記憶部（記憶手段）４７、メイン表示部１０、サブ表示部４８、ＧＰＳ用アンテナ部（ＧＰＳ用受信手段）４９、ＧＰＳ用無線処理部（ＧＰＳ用受信手段）５０、電源部５１、および制御部（表示制御手段）５２を備える構成である。
【００７１】
電話用アンテナ部４０は、電波を外部に送り出すとともに外部から電波を受け取るためのものである。具体的には、電話用アンテナ部４０は、８００ＭＨｚ帯または１．５ＧＨｚ帯の携帯電話機用電波を送受するためのものである。
【００７２】
電話用無線処理部４１は、音声処理部４２またはデータ処理部４５から受信したデータを無線送信に適した形式に変換し、変換した無線信号を電話用アンテナ部４０を介して外部に送信するものである。また、電話用無線処理部４１は、外部から電話用アンテナ部４０を介して受信した無線信号を元の形式に変換し、変換したデータを音声処理部４２またはデータ処理部４５に送信するものである。具体的には、電話用無線処理部４１では、チャネルコーデック処理、ベースバンド信号処理、データの変復調処理、ＲＦ（Radio Frequency）処理などが行われる。
【００７３】
音声処理部４２は、音声入力部４３からの音声信号を所定の音声データに変換して電話用無線処理部４１に送信するとともに、電話用無線処理部４１からの音声データを音声信号に変換して音声出力部４４に送信するものである。具体的には、音声処理部４２は、Ａ／Ｄ変換器、Ｄ／Ａ変換器、アンプ、音声コーデック回路を備える構成である。
【００７４】
音声入力部４３は、外部から入力された音波を、電気信号である音声信号に変換して音声処理部４２に送信するものである。具体的には、音声入力部４３はマイクロホンを備える構成である。
【００７５】
音声出力部４４は、音声処理部４２からの音声信号を音波に変換して外部に出力するものである。具体的には、音声出力部４４は、スピーカ、イヤホン、音声出力用コネクタなどを備える構成である。通常、携帯電話機１では、通話を行う場合にはイヤホンが利用され、着信の報知やテレビ電話を行う場合にはスピーカが利用される。また、音楽を聴く場合には、周囲の人々に配慮して、音声出力用コネクタにヘッドホンが接続される。
【００７６】
なお、電話機の場合、音声入力部４３に入力するユーザの音声が音声出力部４４から聞こえることが望ましい。このため、音声処理部４２は、音声入力部４３からの音声信号を所定の音量レベルに調整した後、音声出力部４４に送信することが望ましい。
【００７７】
データ処理部４５は、制御部５２からのデータを所定形式のデータに符号化して電話用無線処理部４１に送信するとともに、電話用無線処理部４１からのデータを復号化して制御部５２に送信するものである。データ処理部４５で行われるデータの符号化／復号化（コーデック）方式の例としては、ＭＰＥＧ（Moving Picture Experts Group）−４、およびＩＴＵ−Ｔ勧告Ｈ．２６３が挙げられる。
【００７８】
操作部４６は、携帯電話機１の表面に設けられたメイン操作ボタン群６などの入力デバイスをユーザが操作することにより、操作データを作成して制御部５２に送信するものである。入力デバイスとしては、ボタンスイッチの他にタッチパネルなどが挙げられる。また、操作部４６は、所定の操作ボタンをユーザが操作することにより、視野角の変更を指示する操作データを作成し、制御部５２に送信する。
【００７９】
記憶部４７は、各種データおよびプログラムを記憶するものである。記憶部４７の例としては、制御部５２が動作するときに必要なプログラム、通信制御データ等の固定データを記憶する読出し専用の半導体メモリであるＲＯＭ（Read Only Memory）と、バーコード認識や通信に関するデータ、演算に使用するデータ及び演算結果等を一時的に記憶するいわゆるワーキングメモリとしてのＲＡＭ（Random Access Memory）とが挙げられる。
【００８０】
メイン表示部１０およびサブ表示部４８は、制御部５２から画像データを受信し、受信した画像データに基づいて画像を表示するものである。具体的には、メイン表示部１０およびサブ表示部４８は、ＬＣＤ、ＰＤＰ（Plasma Display Panel）、ＥＬディスプレイなどの表示素子と、受信した画像データに基づいて表示素子を駆動するドライバ回路とを備える構成である。
【００８１】
本実施形態では、メイン表示部１０は、制御部５２から視野角制御データを受信し、受信した視野角制御データに基づいて視野角を変更する機能を有するものである。なお、サブ表示部４８が視野角を変更する機能を有しても良い。
【００８２】
ＧＰＳ用アンテナ部４９は、ＧＰＳ衛星からの１．５ＧＨｚ帯の電波を受け取るためのものである。ＧＰＳ用無線処理部５０は、ＧＰＳ衛星からＧＰＳ用アンテナ部４９を介して受信した無線信号を元の形式に変換し、変換したデータを制御部５２に送信するものである。
【００８３】
電源部５１は、携帯電話機１内の各種構成に適当な電力を供給するものである。電源部５１は、例えば、リチウムイオン電池などの充電可能な２次電池、電源回路などによって構成される。
【００８４】
制御部５２は、携帯電話機１内の各種構成を統括的に制御するものである。制御部５２の機能は、例えばＲＡＭやフラッシュメモリなどの記憶装置に記憶されたプログラムをＣＰＵ（Central Processing Unit）が実行することによって実現される。
【００８５】
図１は、携帯電話機１内の上記構成のうち、携帯電話機１の現在の位置情報または速度情報に基づいて視野角を制御する動作に関わる構成の詳細を示している。
【００８６】
図示のように、メイン表示部１０は画像表示部５５と視野角変更部５６とを備えている。また、上述のように、画像表示部５５は、メイン画面４に画像を表示するメインＬＣＤ１４を含んでおり、視野角変更部５６は、メインＬＣＤ１４における視野角を変更するスイッチングＬＣＤ１２を含んでいる。
【００８７】
記憶部４７は、位置情報と視野角モードとの対応関係を示す位置・視野角対応デーブル５７を記憶している。図１１は、位置・視野角対応テーブル５７の一例を表形式で示している。
【００８８】
図示のように、位置・視野角対応テーブル５７では、緯度・経度情報、場所情報、および視野角モードがそれぞれ対応付けられている。図示の例では、場所が「自宅」である場合、携帯電話機１の周囲に第三者が存在する可能性が低く、覗き見される可能性が低いとして広視野角モードに設定されている。なお、自宅の場所はユーザによって異なるので、本実施形態では、制御部５２は、後述のように、自宅の緯度・経度情報を登録する機能を有している。また、場所が「地下鉄駅構内」または「映画館」である場合、携帯電話機１の周囲に第三者が存在する可能性が高く、覗き見される可能性が高いとして狭視野角モードに設定されている。
【００８９】
図１に戻ると、制御部５２は、位置情報取得部（位置情報取得手段）６１、視野角登録部（視野角登録手段）６２、視野角検索部（視野角検索手段）６３、視野角指示部（視野角制御手段）６４、クロック部６５、速度判定部（速度情報取得手段）６６、および視野角制御部（視野角制御手段）６７を備える構成である。
【００９０】
位置情報取得部６１は、電話用無線処理部４１および／またはＧＰＳ用無線処理部５０から、携帯電話機１の現在の位置情報を示す位置データを取得するものである。位置情報取得部６１は、取得した位置データを、視野角登録部６２および視野角検索部６３に送信する。
【００９１】
視野角登録部６２は、操作部４６から視野角の登録を指示する操作データを受け取ると、位置情報取得部６１が取得した位置データを記憶部４７の位置・視野角対応テーブル５７に登録するものである。これにより、例えばユーザの自宅のような任意の場所の視野角モードを設定することができる。
【００９２】
視野角検索部６３は、位置情報取得部６１が取得した位置データに対応する視野角モードを位置・視野角対応テーブル５７から検索するものである。視野角検索部６３は、検索結果取得した視野角モードの情報を視野角指示データとして視野角制御部６７に送信する。
【００９３】
視野角指示部６４は、操作部４６から視野角の変更を指示する操作データを受信すると、視野角の状態を変更する視野角指示データを作成するものである。視野角指示部６４は、作成した視野角指示データを視野角制御部６７に送信する。なお、視野角指示部６４は、操作部４６以外にも、所定のアプリケーションの実行や、携帯電話機１内の所定のデバイスの実行に連動して、視野角の状態を指示する視野角指示データ作成して、視野角制御部６７に送信してもよい。
【００９４】
クロック部６５は、クロック信号を生成するものである。クロック部６５は、生成したクロック信号を速度判定部６６に送信する。
【００９５】
速度判定部６６は、位置情報取得部６１が取得した過去の位置データおよび現在の位置データと、クロック部６５が生成したクロック信号とを用いて、単位時間当り所定以上の距離、すなわち所定以上の速度で携帯電話機１が移動しているかを判定する。この所定の速度の例としては、人の移動速度よりも大きい速度や、バス、電車などの乗り物の平均移動速度が挙げられる。速度判定部６６は、所定以上の速度であると判定した場合に、視野角の状態を狭視野角に指示する視野角指示データを作成して、視野角制御部６７に送信する。なお、携帯電話機１に加速度センサを設けておき、速度判定部６６が、加速度センサから取得した加速度を時間積分することにより速度を取得してもよい。
【００９６】
視野角制御部６７は、視野角検索部６３、視野角指示部６４、および速度判定部６６から受信した視野角指示データに基づいて、視野角変更部５６を制御するものである。具体的には、視野角制御部６７は、視野角の状態を変更する視野角指示データを受信すると、視野角の状態を変更するように視野角変更部５６を制御する。また、視野角制御部６７は、現在の視野角の状態を保持しており、受信した視野角指示データの視野角の状態が、現在の視野角の状態と異なる場合には、視野角指示データの視野角の状態に変更するように視野角変更部５６を制御する。
【００９７】
なお、視野角制御部６７は、視野角検索部６３、視野角指示部６４、および速度判定部６６のうちの２つ以上から視野角指示データを受信した場合には、まず、ユーザから視野角指示部６４を介しての視野角指示データを優先し、次に、速度判定部６６からの視野角指示データを優先する。また、視野角の状態は、実際の視野角の角度で表してもよいし、視野角が広い、狭い、中位といった視野角の程度で表してもよい。本実施形態では、視野角の状態は、視野角が広い広視野角と、視野角が狭い狭視野角で表している。
【００９８】
上記構成の携帯電話機１における処理動作について図１２に基づいて説明する。図１２は、携帯電話機１の位置および移動速度に応じて視野角を変更するように制御部５２が制御する処理動作を示している。
【００９９】
図１２に示されるように、まず、位置情報取得部６１が携帯電話機１の現在の位置情報を取得する（ステップＳ１０（以下「Ｓ１０」と略称することがある。他のステップについても同様である。））。次に、取得した現在位置を用いて、所定時間に所定以上の距離を移動しているか否かを速度判定部６６が判定する（Ｓ１１）。
【０１００】
該判定の結果、所定時間に所定以上の距離を移動している場合には（Ｓ１１にてＹＥＳ）、狭視野角となるように、視野角制御部６７が視野角変更部５６を制御する（Ｓ１２）。その後、ステップＳ１０に戻って上記動作を繰り返す。
【０１０１】
一方、上記判定の結果、所定時間に所定以上の距離を移動していない場合には（Ｓ１１にてＮＯ）、位置情報取得部６１が取得した現在の位置情報に対応する視野角を、視野角検索部６３が位置・視野角対応テーブル５７から検索する（Ｓ１３）。
【０１０２】
該検索の結果、取得した現在の位置情報が位置・視野角対応テーブル５７に存在しない場合には（Ｓ１３にてＮＯ）、ステップＳ１０に戻って上記動作を繰り返す。一方、上記検索の結果、取得した現在の位置情報が位置・視野角対応テーブル５７に存在する場合には（Ｓ１３にてＹＥＳ）、現在の位置情報に対応する視野角となるように、視野角制御部６７が視野角変更部５６を制御する（Ｓ１４）。その後、ステップＳ１０に戻って上記動作を繰り返す。
【０１０３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０４】
例えば、上記実施形態では、携帯電話機１に本発明を適用した場合について説明している。しかしながら、本発明はそれに留まるものではなく、視野角の制御機能を有する表示装置を有するものであれば、ＰＨＳ（Personal Handy-phone System）、ＰＤＡ、モバイルＰＣ（Personal Computer）、ポータブルＤＶＤ（Digital Versatile Disk）などの任意の携帯用電子機器に適用することができる。或いは、据置き型のディスプレイに適用してもよい。
【０１０５】
また、上記実施形態では、視野角のモードが広視野角モードおよび狭視野角モードの２種類のみであるが、より多くの視野角のモードを設けることもできる。例えば、視野角が広くもなく狭くもない中位の視野角モードを設けても良い。この視野角モードは、ユーザを含む２・３人で表示画面を見る場合に好適である。
【０１０６】
また、位置・視野角対応テーブル５７は、緯度・経度情報および場所情報の何れか一方のみを含んでもよい。この場合、緯度・経度情報および場所情報の一方から他方に変換する機能ブロックを制御部５２が有することが好ましい。また、視野角を変更する構造としては、種々のものが知られており、例えば上記特許文献１・３・４に記載されている。
【０１０７】
なお、本発明に係る表示装置は、上記課題を解決するため、画像を表示する表示手段であって、表示の視野角を変更する機能を有する表示手段と、該表示手段の表示を制御する表示制御手段と、位置情報と前記視野角との対応関係を記憶する記憶手段とを備えており、前記表示制御手段は、自装置の位置情報を取得する位置情報取得手段と、該位置情報取得手段が取得した位置情報に対応する視野角を、前記対応関係から検索する視野角検索手段と、該視野角検索手段が検索した視野角に基づいて、前記表示手段の視野角を制御する視野角制御手段とを備える構成であってもよい。
【０１０８】
上記の構成によると、表示手段の視野角は、自装置の位置情報に基づいて制御される。したがって、或る位置に対応する適切な視野角を予め設定して記憶手段に記憶しておくことにより、例えば、駅の構内や映画館内に進入すると自動的に狭視野角となるなど、位置の変更に応じて視野角を自動的に変更することができる。その結果、自装置の環境に応じて視野角を自動的に変更でき、ユーザの利便性が向上する。
【０１０９】
また、本発明に係る表示装置では、前記表示制御手段は、前記位置情報取得手段が取得した自装置の現在および過去の位置情報に基づいて自装置の速度情報を取得する速度情報取得手段をさらに備えており、前記視野角制御手段は、前記速度情報取得手段が取得した速度情報に基づいて、前記表示手段の視野角を制御することが好ましい。この場合、表示手段の視野角は、自装置の位置情報の他に、自装置の速度情報に基づいて制御される。これにより、上述のように、速度に応じて自装置の環境を特定して、視野角を自動的に変更できるので、ユーザの利便性が向上する。
【０１１０】
また、本発明に係る表示装置では、前記表示制御手段は、前記位置情報取得手段が取得した位置情報に、所望の視野角を対応付けて記憶手段に記憶させる視野角登録手段をさらに備えることが好ましい。この場合、例えばユーザの自宅など、ユーザが所望する位置で所望の視野角となるように登録することができ、ユーザの利便性がさらに向上する。
【０１１１】
また、本発明に係る表示装置の制御方法は、上記課題を解決するため、画像を表示する表示手段であって、表示の視野角を変更する機能を有する表示手段と、位置情報と前記視野角との対応関係を記憶する記憶手段とを備える表示装置の制御方法であって、自装置の位置情報を取得し、取得した位置情報に対応する視野角を、前記対応関係から検索し、検索した視野角に基づいて、前記表示手段の視野角を制御する方法であってもよい。
【０１１２】
上記の方法によると、表示手段の視野角は、自装置の位置情報に基づいて制御される。したがって、或る位置に対応する適切な視野角を予め設定して記憶手段に記憶しておくことにより、位置の変更に応じて視野角を自動的に変更することができる。その結果、自装置の環境に応じて視野角を自動的に変更でき、ユーザの利便性が向上する。
【０１１３】
最後に、携帯電話機１の各ブロック、特に制御部５２は、ハードウェアロジックによって構成してもよいし、次のようにＣＰＵを用いてソフトウェアによって実現してもよい。
【０１１４】
すなわち、携帯電話機１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、上記携帯電話機１に供給し、そのコンピュータ（またはＣＰＵやＭＰＵ）が記録媒体に記録されているプログラムコードを読み出し実行することによっても、達成可能である。
【０１１５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１６】
また、携帯電話機１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１７】
以上のように、本発明に係る表示装置は、自装置の位置情報および／または速度情報に基づいて視野角を制御するので、視野角の制御機能を有する表示装置を有するものであれば、携帯電話機以外にも、ＰＨＳ、ＰＤＡ、モバイルＰＣ、ポータブルＤＶＤなどの任意の携帯用情報機器に適用できる。
【符号の説明】
【０１１８】
１    携帯電話機（表示装置）
４    メイン画面（表示手段）
１０    メイン表示部（表示手段）
４０    携帯電話用アンテナ部（無線通信手段、携帯電話用通信手段）
４１    携帯電話用無線処理部（無線通信手段、携帯電話用通信手段）
４６    操作部（操作手段）
４７    記憶部（記憶手段）
４９    ＧＰＳ用アンテナ部（ＧＰＳ用受信手段）
５０    ＧＰＳ用無線処理部（ＧＰＳ用受信手段）
５２    制御部（表示制御手段）
５７    位置・視野角対応テーブル
６１    位置情報取得部（位置情報取得手段）
６２    視野角登録部（視野角登録手段）
６３    視野角検索部（視野角検索手段）
６４    視野角指示部（視野角制御手段）
６６    速度判定部（速度情報取得手段）
６７    視野角制御部（視野角制御手段）
【図１】
2011170341.tif 000003
【図２】
2011170341.tif 000004
【図３】
2011170341.tif 000005
【図４】
2011170341.tif 000006
【図５】
2011170341.tif 000007
【図６】
2011170341.tif 000008
【図７】
2011170341.tif 000009
【図８】
2011170341.tif 000010
【図９】
2011170341.tif 000011
【図１０】
2011170341.tif 000012
【図１１】
2011170341.tif 000013
【図１２】
2011170341.tif 000014